【事件の表示】
　上記当事者間の登録第４２７１５９９号商標の登録取消審判事件について、次のとおり審決する。
【結　論】
　登録第４２７１５９９号商標の指定役務中、第４１類「放送番組の制作」についての商標登録を取り消す。
　審判費用は、被請求人の負担とする。
【理　由】
第１　本件商標
　本件登録第４２７１５９９号商標（以下「本件商標」という。）は、別掲のとおりの構成よりなり、平成９年８月２１日に登録出願、第４１類「放送番組の制作」を含む、第９類、第１６類、第２５類、第３５類、第４１類及び第４２類に属する商標登録原簿記載のとおりの商品及び役務を指定商品及び指定役務として、平成１１年３月１９日に登録査定、同年５月１４日に設定登録され、現に有効に存続しているものである。
　なお、本件審判の請求の登録は、令和２年（２０２０年）９月３０日であり、本件審判の請求の登録前３年以内の平成２９年（２０１７年）９月３０日から令和２年（２０２０年）９月２９日までを以下「要証期間」という。
第２　請求人の主張
　請求人は、結論同旨の審決を求め、その理由及び答弁に対する弁駁を要旨以下のように述べた。
　１　請求の理由
　本件商標は、継続して３年以上日本国内において本件商標権者、専用使用権者又は通常使用権者のいずれもが第４１類「放送番組の制作」（以下「請求に係る指定役務」という。）について使用した事実が存しないから、商標法第５０条第１項の規定によりその登録は取り消されるべきものである。
　２　答弁に対する弁駁
　乙第２号証の１ないし乙第３号証は、被請求人の運営するライブハウス「Ｚｅｐｐ　Ｄｉｖｅｒｃｉｔｙ　Ｔｏｋｙｏ」において開催されたライブパフォーマンスに係る動画が、インターネットにてストリーミング形式による動画配信等を行う株式会社ＡｂｅｍａＴＶによって、インターネット上にてストリーミング形式により配信されたことを示すものである。
　これらの資料から、被請求人がライブパフォーマンスの開催場所を提供したことがうかがえるものの、このライブパフォーマンスに基づいて被請求人が放送番組を制作し、それを株式会社ＡｂｅｍａＴＶへ提供したか否かは明らかではない。
　そのうえ、放送番組の制作に係る役務に関連して被請求人が本件商標を使用した事実は何ら示されていない。
　このように、被請求人が提出した物件は、本件商標が本件審判の対象である指定役務について要証期間内に使用された事実を示すものとはいい難い。
第３　被請求人の答弁
　被請求人は、「本件審判の請求は成り立たない。審判費用は請求人の負担とする。」との審決を求め、答弁において、その理由を要旨次のように述べ、証拠方法として、乙第１号証ないし乙第３号証（枝番を含む。）を提出した。
　１　第４１類「放送番組の制作」については、乙第２号証の１ないし乙第２号証の４により、被請求人が本件商標を使用していることを証明する。
（１）乙第２号証の１は、ＡｂｅｍａＴＶで放送された音楽番組「ＡＫ−６９／ＡｂｅｍａＴＶ『ＳＨＡＳＨ　ＨＩＴ』−Ｒｏａｄ　ｔｏ　Ｚｅｐｐ−」を示すものである。
（２）ここで、ＡｂｅｍａＴＶ（アベマティーヴィー）は、「ＰＣ・スマートフォン・スマートテレビ向けのライブストリーミング形式インターネットテレビサービス、テレビ＆ビデオエンターテインメントサービス『ＡＢＥＭＡ』（アベマ）を運営している企業。サイバーエージェントとテレビ朝日が出資して設立された。」（乙３）との記載がなされているとおり、インターネットテレビサービスである。すなわち、ＡｂｅｍａＴＶで放送されている番組は、第４１類「放送番組の制作」の指定役務に該当する。
（３）乙第２号証の２に示すように、「ＳＭＡＳＨ　ＨＩＴ」は、シンガーソングライターのＡＫ−６９（エーケー・シックスティナイン）氏を中心として、２０１７年１０月にＡｂｅｍａＴＶにて特別番組を放送、好評を得て２０１８年２月からレギュラー番組として放送された音楽番組である。
　また、乙第２号証の３の１に示すように、「開催地：Ｚｅｐｐ　Ｄｉｖｅｒｃｉｔｙ　Ｔｏｋｙｏ」にて、２０１８年９月５日（水）、「ＳＭＡＳＨ　ＨＩＴ／Ｒｏａｄ　ｔｏ　Ｚｅｐｐ」のライブが開催され，本件商標も使用されている。
　乙第２号証の３の１に示す「ＳＭＡＳＨ　ＨＩＴ／Ｒｏａｄ　ｔｏ　Ｚｅｐｐ」のライブは、「・番組からの一言　素晴らしい会場でＡＫ−６９さん、とろサーモンさん、須藤凜々花さんをはじめ多くのアーティストと共に公開収録を行える事に喜びを感じております。」（乙２の３の２）との記載があるように、この「公開収録」は、第４１類「放送番組の制作」の指定役務に該当する。
　さらに、乙第２号証の４には、被請求人の所有に係る本件商標が使用されている。
　２　以上のとおり、本件商標は、要証期間に日本国内において、商標権者である被請求人がその請求に係る指定役務について使用をしていた事実は乙各号証から明らかであるから、請求人の本件商標に対する登録取消の請求は成り立たない。
第４　審尋
　当審より被請求人に対し、令和３年４月８日付け審尋において、被請求人が提出した証拠によっては、要証期間に、商標権者が、請求に係る指定役務について本件商標を使用していることを被請求人が証明しているものとはいえない旨の合議体の暫定的見解及び請求人が提出した令和３年２月２６日付けの審判事件弁駁書に対する回答を求めた。
第５　審尋に対する回答  
　前記第４の審尋に対し、被請求人からの回答はなかった。
第６　当審の判断
　１　事実認定
　被請求人の提出した証拠及び主張によれば、以下の事実を認めることができる。
（１）乙第２号証（枝番を含む。）は、株式会社ＣＡＭＰＦＩＲＥが運営するクラウドファンディングプラットフォーム「ＣＡＭＰＦＩＲＥ（キャンプファイヤー）」のウェブページ中、「ＡＫ−６９／ＡｂｅｍａＴＶ『ＳＭＡＳＨ　ＨＩＴ』−Ｒｏａｄ　ｔｏ　Ｚｅｐｐ−」についての写しである。
（２）株式会社ＣＡＭＰＦＩＲＥは、被請求人と新人アーティストを主な対象とするライブ活動支援プログラム「Ｚｅｐｐ　２０ｔｈ　Ａｎｎｉｖｅｒｓａｒｙ　Ｓｐｅｃｉａｌ　ＬＩＶＥ　ＦＵＮＤＩＮＧ　“Ｒｏａｄ　ｔｏ　Ｚｅｐｐ”」を開始していた。同プログラムは、被請求人が運営するＺｅｐｐホールにてライブ開催を目指すアーティストの支援を目指すものである。そして、当該説明のすぐ上において、ＣＡＭＰＦＩＲＥの商標の左隣に、赤く色付けされた太字風の「ＺＰ」の欧文字の中央に、筆記体風の「Ｚｅｐｐ」の欧文字を重ねて表されてなる商標が表示されている。（乙２の４）。
（３）一方、ＨＩＰＨＯＰアーティストであり、シンガーソングライターのＡＫ−６９（エーケー・シックスティナイン）氏は、ＨＩＰＨＯＰの「楽曲」でヒットを生み出し、ＨＩＰＨＯＰを盛り上げるべく、２０１７年１０月にＡｍｅｂａＴＶで、同氏を中心とした音楽番組「ＳＭＡＳＨ　ＨＩＴ」を特別番組として放送した後、２０１８年２月からは同番組をレギュラー番組としてスタートさせていた（乙２の２）。ここで、ＡｂｅｍａＴＶ（アベマティーヴィー）は、ＰＣ・スマートフォン・スマートテレビ向けのインターネットテレビサービスである（乙３等）。同番組は、敏腕音楽プロデューサーが人気ラッパーとタッグを組んで楽曲を制作する過程を追い、最後にタッグを組んだ２チームが観客審査で、どちらがスマッシュヒットを飛ばす楽曲なのかで勝負するというものである（乙２の２）。
（４）そうした中、若手のアーティストや若手のリスナーをフックアップしていきたいというＡＫ―６９氏の発案により、ＡＫ−６９氏とＡｍｅｂａＴＶの音楽番組「ＳＭＡＳＨ　ＨＩＴ」が組んで１８才以下が入場無料になるライブイベント開催のプロジェクトが成立した。同プロジェクトは、株式会社ＣＡＭＰＦＩＲＥと被請求人の取り組みであるである“Ｒｏａｄ　ｔｏ　Ｚｅｐｐ”プログラム（上記（２）参照）のサポートを受け、Ａｌｌ−Ｉｎ形式でクラウドファンディングに挑戦した（乙２の１、乙２の３の１）。このプロジェクトは、２０１８年８月１５日に募集を開始し、９１人の支援により６８万６千円の資金を集め、２０１８年９月３日に募集を終了した（乙２の１）。
（５）乙第２号証の３の１において、「ＡＫ−６９／ＡｂｅｍａＴＶ『ＳＨＡＳＨ　ＨＩＴ』−Ｒｏａｄ　ｔｏ　Ｚｅｐｐ−」のタイトルでのライブの概要が記載されている。開催日は２０１８年（平成３０年）９月５日（水）、入場開始は１７時、開演は１８時、終演は２２時、開催地はＺｅｐｐ　Ｄｉｖｅｒｃｉｔｙ　Ｔｏｋｙｏ、オールスタンディングで、入場料は１８才以下無料、出演者としてＡＫ−６９等が記載されている。また、当該ライブの概要を記載したポスターとおぼしき画像の最後にはＡｂｅｍａＴＶやＣＡＭＰＦＩＲＥの商標とともに、赤く色付けされた太字風の「ＺＰ」の欧文字の中央に、筆記体風の「Ｚｅｐｐ」の欧文字を重ねて表されてなる商標が表示されている。同様の商標は、乙第２号証の１における当該ライブの概要を記載した３種類のポスターとおぼしき画像の最後にも表示されている。
（６）乙第２号証の１において、２０１８年９月５日夜に、Ｚｅｐｐ　Ｄｉｖｅｒｃｉｔｙ　Ｔｏｋｙｏで行われる「ＡＫ−６９プレゼンツ　ＡｂｅｍａＴＶ／ＳＨＡＳＨ　ＨＩＴスペシャルライブ」について、当日の様子の放送日が「１０月３日２２時〜２５時」、「ＡｂｅｍａＴＶ　ＳＰチャンネル」に決定した旨、記載されている。
（７）乙第２号証の３の２において、「●番組Ｐからの一言」として、「今回、このようにＺｅｐｐ　ＤｉｖｅｒＣｉｔｙ　ＴＯＫＹＯという素晴らしい会場でＡＫ−６９さん・・・をはじめ多くのアーティストと共に公開収録を行える事に喜びを感じております。昨年の特番、今年６月までのレギュラー放送時に、ＨＩＰＨＯＰ界を中心に毎回豪華なプロデューサー、ラッパーが出演してくださいました。この番組に出演していただいた素晴らしいアーティストの皆様が再度集まり皆様の前で新たなパフォーマンスする事は楽しみで仕方ありません。必ず、足を運んでくださる皆様にもご満足いただける内容になると思います。是非、皆様のお力をお借りしつつ『ＳＭＡＳＨ　ＨＩＴ』が生まれる瞬間を現場で体感してください。」と記載されているところ、このコメントは、ＡｂｅｍａＴＶの音楽番組「ＳＭＡＳＨ　ＨＩＴ」の番組プロデューサーのものと認められる。
　２　判断
　上記１で認定した事実によれば、被請求人は、株式会社ＣＡＭＰＦＩＲＥとともに、新人アーティストを主な対象とするライブ活動支援プログラムを開始し、被請求人が運営するＺｅｐｐホールにてライブ開催を目指すアーティストの支援を目指していたこと、当該プログラムの一つとして、２０１８年９月５日開催の「ＡＫ−６９プレゼンツ　ＡｂｅｍａＴＶ／ＳＨＡＳＨ　ＨＩＴスペシャルライブ」をクラウドファンディングでサポートしたこと、当該ライブの会場として、被請求人が運営するＺｅｐｐ　ＤｉｖｅｒＣｉｔｙ　ＴＯＫＹＯを提供したことは認められる。
　しかしながら、被請求人が、当該ライブを公開収録し、２０１８年１０月３日にＡｂｅｍａＴＶで放送される番組を制作した事実については何ら立証がされていない。さらに、当該放送番組の制作について、本件商標を使用した事実についても何ら立証がされていない。
　したがって、被請求人が、要証期間に日本国内において、請求に係る指定役務について、本件商標を使用したことを認めることができない。
　３　まとめ
　以上のとおり、被請求人は、要証期間に日本国内において、商標権者、通常使用権者又は専用使用権者のいずれかが、請求に係る指定役務について、本件商標を使用していた事実を証明したものとは認められない。
　また、被請求人は、本件商標を請求に係る指定役務に使用していないことについて正当な理由があることも明らかにしていない。
　したがって、本件商標の登録は、その指定商品及び指定役務中、第４１類「放送番組の制作」について、商標法第５０条の規定により、取り消すべきものである。
　よって、結論のとおり審決する。